(57)【要約】【課題】簡単な構造で、カードの帯電性の有無、反りまたは曲がりの有無、厚さなどに影響せずカードの収納量を高められ、コンパクト化も図れるようにする。【解決手段】カセット本体１２の内部に、カード投入口１２ａより下方位置で、カセット本体１２の底面との間に隙間ａをあけて反射板１３を設けたので、組み立て性が良好で部品点数も少ない簡単な構造で、リジェクトカード１１の帯電性の有無、反りまたは曲がりの有無、厚さなどに影響せず、リジェクトカード１１の収納量を高めることができる。これにより、カード収納カセット１０のコンパクト化を図ることができる。【選択図】　　　　図１
2004013742.tif 000002
【特許請求の範囲】
【請求項１】
カードを発行するカード発行機能を備えたカード発行機から排出される不要なカードまたは回収すべきカードを、カード投入口を通してカセット本体の内部に落下させて収納するカード発行機のカード収納カセットにおいて、
前記カセット本体の内部に、
前記カード投入口より下方位置で、しかも前記カセット本体の底面との間に隙間をあけて配置され、前記カード投入口から落下したカードが反射し、その落下方向を変更する反射部材を設けたことを特徴とするカード発行機のカード収納カセット。
【請求項２】
前記カセット本体内での反射部材の高さ位置は、前記カードの長手方向の端部が前記反射部材に反射した際でも、前記カードがカセット本体の底面の全域に分散される高さである請求項１に記載のカード発行機のカード収納カセット。
【請求項３】
前記カセット本体内での反射部材の高さ位置は、前記カードの長手方向の端部が前記反射部材に当接した時に前記カード全体が前記カセット内に入り込む位置であることを特徴とする請求項１記載のカード発行機のカード収納カセット。
【請求項４】
前記反射部材は平板を屈曲して形成され、その一端部が前記カセット本体に固定され、その他端部が前記カード投入口の直下に配置され、該反射部材の他端部と前記カセット本体の底面との間に隙間が形成された請求項１から３のいずれかに記載のカード発行機のカード収納カセット。
【発明の詳細な説明】
【０００１】
【発明の属する技術分野】
本発明は、カード発行機のカード収納カセットに関する。更に詳述すると、本発明はカード発行機から排出される不要なカードまたは回収すべきカード（以下、リジェクトカード）を収納するカード収納カセットに関するものである。
【０００２】
【従来の技術】
従来のカード発行装置は、カードを発行するカード発行機能を備えたカード発行機を本体とし、このカード発行機には、不要なリジェクトカードを収納するカード収納カセット機構が付設されている。カード収納カセットは矩形状のボックスで、その上板にはリジェクトカードのカード投入口が形成され、一方の側板にはカード取り出し部が設けられている。カード発行機から排出されたリジェクトカードは、カード投入口を通過し、直下の底板に落ちてカセット本体の内部に収納される（特開２０００−６７１６９号）。
【０００３】
【発明が解決しようとする課題】
しかしながら、カード発行機から排出されるリジェクトカードは、カード発行時のエンボス工程を通過した際に、カード番号、ユーザ名などがエンボス加工される。このエンボスによる印字部分の隆起、および、エンボス時の熱や印字圧によるカードの反りなどにより、カードの厚さが増大する。
【０００４】
また、カード投入口から取り込まれるリジェクトカードは、常に同じ姿勢で、カード投入口からその直下のカセット本体内に取り込まれる。そのため、プラスチック製などの帯電しやすいカードの場合には、静電気の作用により、このカセット本体内に廃棄されたカードが積層しやすい。これにより、仮にカセット本体を大型化しても、カード収納カセットにおけるカードの収納量はそれほど増加せず、その結果、カード発行機の保守を頻繁に実施しなければなかった。
【０００５】
本発明は、組み立て性が良好で部品点数も少ない簡単な構造で、カードの帯電性の有無、反りまたは曲がりの有無、厚さなどに影響せずカードの収納量を高めることができ、これによりコンパクト化を図ることができるカード発行機のカード収納カセットを提供することを目的とする。
【０００６】
また、本発明は、カードの長手方向の端部が反射部材に衝突して反射したときでも、カードをカセット本体の底面の全域に分散させることができるカード発行機のカード収納カセットを提供することを目的とする。
【０００７】
さらに、本発明は、コスト低下を図ることができるカード発行機のカード収納カセットを提供することを目的とする。
【０００８】
【課題を解決するための手段】
かかる目的を達成するために請求項１記載のカード発行機のカード収納カセットは、カードを発行するカード発行機能を備えたカード発行機から排出される不要なカードまたは回収すべきカードを、カード投入口を通してカセット本体の内部に落下させて収納するカード発行機のカード収納カセットにおいて、前記カセット本体の内部に、前記カード投入口より下方位置で、しかも前記カセット本体の底面との間に隙間をあけて配置され、前記カード投入口から落下したカードが反射し、その落下方向を変更する反射部材を設けるように構成したものである。
【０００９】
したがって、カード発行機から排出されたカードは、順に、カード投入口を通過してカセット本体内を落下する。落下途中、カードは反射部材に衝突して跳ね返り、その落下方向が変更される。反射部材はカセット本体の底面との間に所定の隙間をあけて、この底面より上方に配置されている。そのため、カード投入口から投入されたカードは、カセット本体の底面の略全域に分散されて収納される。その結果、帯電しやすいカードであっても、反り、曲がり、厚さなどに影響されることなく、カードの収納量を高めることができる。これにより、カード収納カセットのコンパクト化も図れる。また、構造が簡単であるので、組み立て性が良好で、部品点数も少ない。
【００１０】
また、請求項２記載の発明は、請求項１記載のカード発行機のカード収納カセットにおいて、カセット本体内での反射部材の高さ位置を、カードの長手方向の端部が反射部材に反射した際でも、カードがカセット本体の底面の全域に分散される高さとしたものである。
【００１１】
したがって、カード投入口から落下したカードの長手方向の端部が反射部材に衝突した際でも、このカードをカセット本体の底面の全域に分散させることができる。
【００１２】
また、請求項３記載の発明は、請求項１記載のカード発行機のカード収納カセットにおいて、カセット本体内での反射部材の高さ位置を、カードの長手方向の端部が反射部材に当接した時にカード全体がカセット内に入り込む位置であるようにしたものである。
【００１３】
したがって、仮に長手方向の端部が反射部材に当接した状態でカードが動かなくなっても、カードの一部分がカード投入口から外部突出するおそれがない。例えば、このカード投入口にシャッタが設けられている場合には、このカードがシャッタの閉鎖を妨げることはない。
【００１４】
また、請求項４記載の発明は、請求項１から３のいずれかに記載のカード発行機のカード収納カセットにおいて、反射部材は平板を屈曲して形成され、その一端部がカセット本体に固定され、その他端部がカード投入口の直下に配置され、該反射部材の他端部とカセット本体の底面との間に隙間が形成されたものである。
【００１５】
したがって、カード投入口から落下したカードは、その直下に存在する反射部材の他端部に反射して落下方向が変更される。
【００１６】
【発明の実施の形態】
以下、本発明の構成を図面に示す最良の形態に基づいて詳細に説明する。なお、説明の都合上、カード発行機の機長方向をＸ方向、機幅方向をＹ方向、高さ方向をＺ方向とする。
【００１７】
図１〜図４に、本発明を適用したカード発行機のカード収納カセットの実施形態の一例を示す。
【００１８】
カード発行機のカード収納カセット（以下、カード収納カセット）１０は、例えば、カード発行機１から排出されるリジェクトカード１１を、カード収納カセット１０のカセット本体１２内に落下させて収納するように構成したもので、このカセット本体１２の内部に、落下途中のリジェクトカード１１が反射することで、その落下方向を変更する反射板（反射部材）１３を設けている。
【００１９】
なお、カード発行機１の内部には、カードに所定の記録を行ってカード発行口１４よりカードを発行するカードリーダ部１５の他、図示しないが、例えば多数のカードを積み重ねてストックする複数のカードスタッカを配設したカードストッカ部と、各カードスタッカのカード供給部からカードを取り出すカード取り出し移動機構と、カードに所定の文字および記号などを刻むインデント／エンボス機構と、刻まれた文字および記号などに色付けするトッパー機構と、カード発行機１の全体を制御する制御部とを備えている。
【００２０】
カード発行機１は、上端部の開口部に装置蓋１６が設けられたＸ方向に長い矩形箱状の機体１７を有している。機体１７のＸ方向の一側板には、前記カード収納カセット１０の取り出し口１７ａを塞ぐ蓋体１８が設けられている。機体１７のＸ方向の他側部内には、Ｘ方向に長い矩形箱状の前記カードリーダ部１５が設けられている。カード発行口１４は、機体１７のＸ方向の他側板から外部に露出している。
【００２１】
カード収納カセット１０は、平面視して正方形の前記カセット本体１２を有している。このカセット本体１２の寸法は、例えば縦２５７．５ｍｍ、横２５０ｍｍ、高さ１７５ｍｍである。カセット本体１２の一側板には、把手１９が設けられている。また、カセット本体１２のＹ方向の一側板の上部であって、その反射板１３側の端部には、カセット本体１２に収納されたリジェクトカード１１の満杯状態を検知するカードフルセンサＳが設けられている。さらに、カセット本体１２の上板のＸ方向他端側の中間部には、Ｘ方向に細長いカード投入口１２ａが形成されている。カード投入口１２ａの幅は、リジェクトカード１１がゆとりをもって通過可能な例えば３ｃｍ程度である。リジェクトカード１１の寸法は、ＩＳＯ／ＩＥＣ７８１０に準拠のカードである。
【００２２】
カード収納カセット１０のＸ方向の他端板の内面には、前記反射板１３が片持ち状態で支持されている。この反射板１３は、カード投入口１２ａの直下位置で、しかもカセット本体１２の底面との間に隙間ａをあけて配置されている。この隙間ａは、反射板１３に反射したリジェクトカード１１を、カセット本体１２の底面の全域に分散可能な４０ｍｍである。この反射板１３は、例えば長さ１１２ｍｍ、幅５４ｍｍ、厚さ０．６ｍｍの板ばねをＬの字形に屈曲して形成されている。よって、カード収納カセット１０の低コスト化が図れる。
【００２３】
この反射板１３は、長さ６０ｍｍの長辺部の一端がカセット本体１２に固着され、その屈曲部側がカセット本体１２の内側に向かって徐々に下方傾斜されている。その傾斜角度θは、例えば４０度である。また、反射板１３の固着部からカード投入口１２ａまでの高さｂは、図１の一点鎖線に示すように、リジェクトカード１１の長手方向の端部が反射板１３に衝突した際でも、リジェクトカード１１がカセット本体１２の底面の全域に分散される高さである。具体的には、例えば１００ｍｍである。仮に長手方向の端部が反射板１３に当接した状態でリジェクトカード１１が動かなくなったときでも、リジェクトカード１１の一部分がカード投入口１２ａに設けられた図示しないシャッタの閉鎖を妨げることはない。
【００２４】
次に、カード収納カセット１０の使用方法を説明する。
例えば、カード発行機１から排出される不要なリジェクトカード１１、または、装置外からカード発行口１４を通してカードリーダ部１５に取り込まれたリジェクトカード１１は、図２の二点鎖線に示すように、横向き状態でカード投入口１２ａからカセット本体１２内に向かって垂直に落下する。落下途中、リジェクトカード１１は反射板１３の斜面に衝突して跳ね返る。これにより、その落下方向が変更される。
【００２５】
前述したように、反射板１３はカセット本体１２の底面との間に所定の隙間ａをあけて配置されている。そのため、カード投入口１２ａから投入されたリジェクトカード１１は、カセット本体１２の底面の略全域に分散される。これにより、リジェクトカード１１が帯電しやすいプラスチックカードであっても、従来のように静電気の作用により、カセット本体１２内でリジェクトカード１１がカード投入口１２ａの直下付近に積層するおそれが少ない。しかも、リジェクトカード１１の反り、曲がり、厚さなどに影響されることなく、このリジェクトカード１１の収納量を高めることができる。その結果、カセット本体１２を大型化しなくても、リジェクトカード１１の収納量を増加させることができる。よって、カード収納カセット１０のコンパクト化、ひいてはカード発行機１のコンパクト化を図ることができるとともに、カード発行機１の保守間隔を長くすることができる。
【００２６】
リジェクトカード１１の収納量を増やすため、例えばモータ、ソレノイドなどのアクチュエータを必要としない簡単な構造としたので、カード収納カセット１０の組み立て性が良好で、部品点数も少ない。
【００２７】
また、反射板１３はリジェクトカード１１の寸法より小さいので、カード収納カセット１０からリジェクトカード１１を取り出す際、反射板１３がカード取り出し作業を支障しない。
【００２８】
カード投入口１２ａから投入されたリジェクトカード１１は、反射板１３より下方の空間が埋まるまで順次分散状態で堆積される。その後、堆積したリジェクトカード１１が反射板１３の高さを超えると、従来と同じように静電気等の作用によって積み重なり、カードフルセンサＳがリジェクトカード１１を検知するまで貯留される。
【００２９】
なお、上述の形態は本発明の好適な形態の一例ではあるがこれに限定されるものではなく本発明の要旨を逸脱しない範囲において種々変形実施可能である。例えば、反射部材を板ばねとしたが、ばね力を有しない板材またはブロック材でもよい。また、反射板はカセット本体の内面に完全固定ではなく、回転可能に取り付けてもよい。さらには、反射板をカセット本体と一体的に形成してもよい。
【００３０】
【発明の効果】
以上説明したように、請求項１のカード発行機のカード収納カセットでは、カセット本体の内部に、カード投入口より下方位置で、カセット本体の底面との間に隙間をあけて反射部材を設けたので、組み立て性が良好で部品点数も少ない簡単な構造で、カードの帯電性の有無、反りまたは曲がりの有無、厚さなどに影響せずカードの収納量を高めることができ、これによりコンパクト化を図ることができる。
【００３１】
また、請求項２のカード発行機のカード収納カセットでは、カード収納カセット内での反射部材の高さ位置を、カードの長手方向の端部が反射部材に反射した際でも、カードがカード収納カセットの底面の全域に分散される高さとしたので、カードの長手方向の端部が反射部材に衝突して反射したときでも、カードをカセット本体の底面の全域に分散させることができる。
【００３２】
また、請求項３のカード発行機のカード収納カセットでは、カード収納カセット内での反射部材の高さ位置を、カードの長手方向の端部が反射部材に反射した際でも、カードがカード収納カセットの底面の全域に分散される高さとしたので、仮に長手方向の端部が反射部材に当接した状態でカードが動かなくなっても、カードの一部分がカード投入口から外部突出するおそれがない。例えば、このカード投入口にシャッタが設けられている場合には、このカードがシャッタの閉鎖を妨げることはない。
【００３３】
さらに、請求項４のカード発行機のカード収納カセットでは、反射部材を平板を屈曲して形成し、その一端部がカセットに固定され、その他端部がカード投入口の直下に配置されて、反射部材の他端部とカード収納カセットの底面との間に隙間を形成したので、カード収納カセットの低コスト化を図ることができる。
【図面の簡単な説明】
【図１】本発明に係るカード発行機のカード収納カセットの側面図である。
【図２】本発明に係るカード発行機のカード収納カセットの使用状態を示す側面図である。
【図３】本発明に係るカード発行機のカード収納カセットの使用状態を示す平面図である。
【図４】本発明に係るカード発行機のカード収納カセットの平面図である。
【符号の説明】
１　カード発行機
１０　カード発行機のカード収納カセット
１１　リジェクトカード（カード）
１２　カセット本体
１２ａ　カード投入口
１３　反射板（反射部材）
ａ　隙間
ｂ　高さ
【図１】
2004013742.tif 000003
【図２】
2004013742.tif 000004
【図３】
2004013742.tif 000005
【図４】
2004013742.tif 000006